(57)【特許請求の範囲】
【請求項１】
利用者が着用する着用物品の形状を示す物品情報として、前記利用者により入力された識別情報であって、商品が陳列されている陳列棚に付された識別情報に応じて特定された着用物品の形状を示す物品情報を取得する取得部と、
前記物品情報が示す形状の着用物品を前記利用者が仮想的に装着した態様で、前記利用者が撮影された撮影画像に当該着用物品の画像を重畳した状態で表示させる表示制御部と
を有し、
前記取得部は、前記物品情報として、前記識別情報で識別される着用物品、および、前記識別情報で識別される着用物品に関連する着用物品である表示候補の着用物品のうち、前記利用者により選択された内容に応じた着用物品の形状を示す物品情報を取得する
ことを特徴とする表示制御装置。
【請求項２】
前記取得部は、前記識別情報に応じて特定された着用物品として、前記陳列棚に現在陳列されている着用物品の形状を示す物品情報を取得する
ことを特徴とする請求項１に記載の表示制御装置。
【請求項３】
前記取得部は、前記表示候補の着用物品のうち、前記利用者により選択されたカテゴリに対応する着用物品の形状を示す前記物品情報を取得する
ことを特徴とする請求項１または２に記載の表示制御装置。
【請求項４】
前記取得部は、前記物品情報として、前記利用者により選択された第１のカテゴリに属する着用物品のうち、前記利用者によりさらに選択された第２のカテゴリであって、前記第１のカテゴリに対する下位のカテゴリである第２のカテゴリに属する着用物品の形状を示す物品情報を取得する
ことを特徴とする請求項３に記載の表示制御装置。
【請求項５】
前記取得部は、前記表示候補の着用物品のうち、前記利用者により選択された着用物品の形状を示す前記物品情報を取得する
ことを特徴とする請求項１〜４のいずれか１つに記載の表示制御装置。
【請求項６】
前記取得部は、前記利用者の属性情報または嗜好性に応じた前記表示候補の着用物品のうち、前記利用者により選択された着用物品の形状を示す前記物品情報を取得する
ことを特徴とする請求項１〜５のいずれか１つに記載の表示制御装置。
【請求項７】
前記取得部は、前記利用者が着用する着用物品の形状を示す物品情報として、撮影画像に含まれる前記利用者に応じた形状を示す物品情報を取得する
ことを特徴とする請求項１〜６のいずれか１つに記載の表示制御装置。
【請求項８】
前記表示制御部は、前記利用者が撮影された撮影画像から検出された前記利用者の身体のパーツに基づいて、着用物品の利用用途に応じた適切な身体の位置に対して前記物品情報が示す形状の着用物品が位置するよう、前記撮影画像に当該着用物品の画像を重畳した状態で表示させる
ことを特徴とする請求項１〜７のいずれか１つに記載の表示制御装置。
【請求項９】
前記表示制御部は、前記撮影画像で示される前記利用者の顔の向きであって、前記利用者を撮影する撮影手段に対する顔の向きに応じて、前記物品情報が示す形状を制御し、制御した形状の着用物品を前記利用者が仮想的に装着した態様で、前記撮影画像に当該着用物品の画像を重畳した状態で表示させる
ことを特徴とする請求項１〜８のいずれか１つに記載の表示制御装置。
【請求項１０】
前記表示制御部は、前記利用者の顔のサイズに応じて、前記着用物品の画像のサイズを制御し、制御したサイズの画像を前記撮影画像に重畳させる
ことを特徴とする請求項１〜９のいずれか１つに記載の表示制御装置。
【請求項１１】
前記表示制御部は、前記利用者により着用物品の色または模様が指定された場合には、前記着用物品の画像として、指定された色または模様の着用物品の画像を前記撮影画像に重畳させる
ことを特徴とする請求項１〜１０のいずれか１つに記載の表示制御装置。
【請求項１２】
前記表示制御部は、前記利用者により着用物品のサイズが指定された場合には、前記着用物品の画像として、指定されたサイズに応じたサイズの画像を前記撮影画像に重畳させる
ことを特徴とする請求項１〜１１のいずれか１つに記載の表示制御装置。
【請求項１３】
前記表示制御部は、利用者に関する利用者情報に基づき特定された利用者であって、前記撮影画像に着用物品の画像を重畳した状態で表示させるアプリケーションを導入していない利用者の端末装置に対して、当該アプリケーションを導入するよう案内する案内情報を表示させる
ことを特徴とする請求項１〜１２のいずれか１つに記載の表示制御装置。
【請求項１４】
前記表示制御部は、前記着用物品を仮想的に装着させるパーツであって、前記利用者の身体のパーツが、前記利用者が撮影された撮影画像に含まれないと判定された場合には、当該パーツを含むように撮影するよう案内情報を表示させる
ことを特徴とする請求項１〜１３のいずれか１つに記載の表示制御装置。
【請求項１５】
前記表示制御部は、前記利用者が撮影された撮影画像であって、前記着用物品の画像が重畳された撮影画像のうち、これまでに撮影された撮影画像を比較可能なように表示させる
ことを特徴とする請求項１〜１４のいずれか１つに記載の表示制御装置。
【請求項１６】
前記表示制御部は、前記利用者が撮影された撮影画像であって、前記着用物品の画像が重畳された撮影画像のうち、過去に撮影された撮影画像を、現在撮影されている撮影画像であって、前記着用物品の画像が重畳された撮影画像とともに表示させる
ことを特徴とする請求項１５に記載の表示制御装置。
【請求項１７】
前記表示制御部は、前記利用者が撮影された撮影画像であって、前記着用物品の画像が重畳された撮影画像に対して、所定の情報共有サービスへの投稿に応じた所定の情報を表示させる
ことを特徴とする請求項１〜１６のいずれか１つに記載の表示制御装置。
【請求項１８】
前記表示制御部は、前記所定の情報として、前記着用物品に関する情報を表示させる
ことを特徴とする請求項１７に記載の表示制御装置。
【請求項１９】
表示制御装置が実行する表示制御方法であって、
利用者が着用する着用物品の形状を示す物品情報として、前記利用者により入力された識別情報であって、商品が陳列されている陳列棚に付された識別情報に応じて特定された着用物品の形状を示す物品情報を取得する取得工程と、
前記物品情報が示す形状の着用物品を前記利用者が仮想的に装着した態様で、前記利用者が撮影された撮影画像に当該着用物品の画像を重畳した状態で表示させる表示制御工程と
を含み、
前記取得工程は、前記物品情報として、前記識別情報で識別される着用物品、および、前記識別情報で識別される着用物品に関連する着用物品である表示候補の着用物品のうち、前記利用者により選択された内容に応じた着用物品の形状を示す物品情報を取得する
ことを特徴とする表示制御方法。
【請求項２０】
利用者が着用する着用物品の形状を示す物品情報として、前記利用者により入力された識別情報であって、商品が陳列されている陳列棚に付された識別情報に応じて特定された着用物品の形状を示す物品情報を取得する取得手順と、
前記物品情報が示す形状の着用物品を前記利用者が仮想的に装着した態様で、前記利用者が撮影された撮影画像に当該着用物品の画像を重畳した状態で表示させる表示制御手順と
をコンピュータに実行させ、
前記取得手順は、前記物品情報として、前記識別情報で識別される着用物品、および、前記識別情報で識別される着用物品に関連する着用物品である表示候補の着用物品のうち、前記利用者により選択された内容に応じた着用物品の形状を示す物品情報を取得する
ことを特徴とする表示制御プログラム。 
【発明の詳細な説明】
【技術分野】
【０００１】
本発明は、表示制御装置、表示制御方法および表示制御プログラムに関する。
【背景技術】
【０００２】
従来、情報処理の進歩に従い、様々な態様で利用者に情報を提供する技術が提案されている。例えば、商品に関する仮想的な画像を、利用者が撮影された画像に重畳させて表示させることで、商品の販売を促進させる技術が提案されている。
【先行技術文献】
【特許文献】
【０００３】
【特許文献１】特開２０１２−１８１６８８号公報
【発明の概要】
【発明が解決しようとする課題】
【０００４】
しかしながら、上記の従来技術では、使い捨て着用物品が利用者に適した商品であるか否かを購入前に効果的に認識させることができるとは限らない。例えば、上記の従来技術では、撮像部から順次取得した画像内の顔パーツを認識し、認識結果に含まれる顔パーツの位置に基づいて、画像内の顔にトラッキングする仮想的な化粧画像をこの画像に重畳させて表示させる。
【０００５】
このように、上記の従来技術は、化粧支援に特化した技術あり、マスクなどの使い捨て着用物品については、画像に重畳させて表示させる表示対象となっていないため、使い捨て着用物品が利用者に適した商品であるか否かを購入前に効果的に認識させることができるとは限らない。
【０００６】
本願は、上記に鑑みてなされたものであって、使い捨て着用物品が利用者に適した商品であるか否かを購入前に効果的に認識させることを目的とする。
【課題を解決するための手段】
【０００７】
本願に係る表示制御装置は、利用者による入力情報に応じて特定された使い捨て着用物品の形状を示す物品情報を取得する取得部と、前記物品情報が示す形状の使い捨て着用物品を前記利用者が仮想的に装着した態様で、前記利用者が撮影された撮影画像に当該使い捨て着用物品の画像を重畳した状態で表示させる表示制御部とを有することを特徴とする。
【発明の効果】
【０００８】
実施形態の一態様によれば、使い捨て着用物品が利用者に適した商品であるか否かを購入前に効果的に認識させることができる。
【図面の簡単な説明】
【０００９】
【図１】図１は、陳列コーナーを概念的に説明する説明図である。
【図２】図２は、実施形態に係る表示制御処理の一例（１）を示す図である。
【図３】図３は、実施形態に係る表示制御処理の一例（２）を示す図である。
【図４】図４は、実施形態に係る表示制御処理の一例（３）を示す図である。
【図５】図５は、実施形態に係る画像比較の一例を示す図である。
【図６】図６は、実施形態に係る情報処理装置の構成例を示す図である。
【図７】図７は、実施形態に係る表示制御処理のうち、前半の表示制御処理手順を示すフローチャートである。
【図８】図８は、実施形態に係る表示制御処理のうち、後半の表示制御処理手順を示すフローチャートである。
【図９】図９は、ハードウェア構成の一例を示す図である。
【発明を実施するための形態】
【００１０】
本明細書及び添付図面の記載により、少なくとも以下の事項が明らかとなる。
【００１１】
（クレーム１）
利用者による入力情報に応じて特定された使い捨て着用物品の形状を示す物品情報を取得する取得部と、前記物品情報が示す形状の使い捨て着用物品を前記利用者が仮想的に装着した態様で、前記利用者が撮影された撮影画像に当該使い捨て着用物品の画像を重畳した状態で表示させる表示制御部とを有することを特徴とする表示制御装置。
【００１２】
このような表示制御装置によれば、利用者による入力情報に応じて特定された使い捨て着用物品の形状を示す物品情報を取得し、取得した物品情報が示す形状の使い捨て着用物品を利用者が仮想的に装着した態様で、利用者が撮影された撮影画像に当該使い捨て着用物品の画像を重畳した状態で表示させるため、使い捨て着用物品が利用者に適した商品であるか否かを購入前に効果的に認識させることができる。
【００１３】
（クレーム２）
また、表示制御装置は、前記使い捨て着用物品として、不織布で構成された使い捨てマスクの形状を示す前記物品情報を取得する。
【００１４】
このような表示制御装置によれば、使い捨て着用物品として、不織布で構成された使い捨てマスクの形状を示す物品情報を取得するため、使い捨てマスクが利用者に適したマスク商品であるか否かを購入前に効果的に認識させることができる。
【００１５】
（クレーム３）
また、表示制御装置は、前記入力情報として、前記使い捨て着用物品が商品として陳列されている陳列棚に付された識別情報に応じて特定された使い捨て着用物品の形状を示す前記物品情報を取得する。
【００１６】
このような表示制御装置によれば、入力情報として、使い捨て着用物品が商品として陳列されている陳列棚に付された識別情報に応じて特定された使い捨て着用物品の形状を示す物品情報を取得するため、使い捨て着用物品の装着体験ができる機会を効果的に増やすことができる。
【００１７】
（クレーム４）
また、表示制御装置は、前記識別情報に応じて特定された使い捨て着用物品として、前記識別情報で識別される使い捨て着用物品であって、前記陳列棚に現在陳列されている使い捨て着用物品の形状を示す前記物品情報を取得する。
【００１８】
このような表示制御装置によれば、識別情報に応じて特定された使い捨て着用物品として、識別情報で識別される使い捨て着用物品であって、陳列棚に現在陳列されている使い捨て着用物品の形状を示す物品情報を取得するため、現在、利用者が注目している着用物品そのものの画像を表示することができる。
【００１９】
（クレーム５）
また、表示制御装置は、前記識別情報に応じて特定された使い捨て着用物品として、前記識別情報で識別される着用物品、および、前記識別情報で識別される着用物品に関連する着用物品である表示候補の使い捨て着用物品のうち、前記利用者により選択されたカテゴリに対応する使い捨て着用物品の形状を示す前記物品情報を取得する。
【００２０】
このような表示制御装置によれば、識別情報に応じて特定された使い捨て着用物品として、識別情報で識別される着用物品、および、識別情報で識別される着用物品に関連する着用物品である表示候補の使い捨て着用物品のうち、利用者により選択されたカテゴリに対応する使い捨て着用物品の形状を示す物品情報を取得するため、装着体験したい使い捨て着用物品がより簡単に見付けられるよう効果的に支援することができる。
【００２１】
（クレーム６）
また、表示制御装置は、前記利用者により選択された第１のカテゴリに属する表示候補の使い捨て着用物品のうち、前記利用者によりさらに選択された第２のカテゴリであって、前記第１のカテゴリに対する下位のカテゴリである第２のカテゴリに属する着用物品の形状を示す前記物品情報を取得する。
【００２２】
このような表示制御装置によれば、利用者により選択された第１のカテゴリに属する表示候補の使い捨て着用物品のうち、利用者によりさらに選択された第２のカテゴリであって、第１のカテゴリに対する下位のカテゴリである第２のカテゴリに属する着用物品の形状を示す物品情報を取得するため、装着体験したい使い捨て着用物品がより簡単に見付けられるよう効果的に支援することができる。
【００２３】
（クレーム７）
また、表示制御装置は、前記表示候補の使い捨て着用物品のうち、前記利用者により選択された使い捨て着用物品の形状を示す前記物品情報を取得する。
【００２４】
このような表示制御装置によれば、表示候補の使い捨て着用物品のうち、利用者により選択された使い捨て着用物品の形状を示す物品情報を取得するため、利用者側の要望に合った使い捨て着用物品の装着体験を簡単に行わせることができる。
【００２５】
（クレーム８）
また、表示制御装置は、前記利用者の属性情報または嗜好性に応じて特定された前記表示候補の使い捨て着用物品のうち、前記利用者により選択された使い捨て着用物品の形状を示す前記物品情報を取得する。
【００２６】
このような示制御装置によれば、利用者の属性情報または嗜好性に応じて特定された表示候補の使い捨て着用物品のうち、利用者により選択された使い捨て着用物品の形状を示す物品情報を取得するため、利用者側の好みに合った使い捨て着用物品の装着体験を簡単に行わせることができる。
【００２７】
（クレーム９）
また、表示制御装置は、前記入力情報として、前記利用者が撮影された撮影画像に応じて特定された使い捨て着用物品の形状を示す前記物品情報を取得する。
【００２８】
このような示制御装置によれば、入力情報として、利用者が撮影された撮影画像に応じて特定された使い捨て着用物品の形状を示す物品情報を取得するため、利用者の興味を高め、使い捨て着用物品が販売される店舗へと利用者を効果的に誘導することができるようになる。
【００２９】
（クレーム１０）
また、表示制御装置は、前記利用者が撮影された撮影画像から検出された前記利用者の身体のパーツに基づいて、使い捨て着用物品の利用用途に応じた適切な身体の位置に対して前記物品情報が示す形状の使い捨て着用物品が位置するよう、前記撮影画像に前記使い捨て着用物品の画像を重畳した状態で表示させる。
【００３０】
このような表示制御装置によれば、利用者が撮影された撮影画像から検出された利用者の身体のパーツに基づいて、使い捨て着用物品の利用用途に応じた適切な身体の位置に対して物品情報が示す形状の使い捨て着用物品が位置するよう、撮影画像に使い捨て着用物品の画像を重畳した状態で表示させるため、使い捨て着用物品の装着体験を違和感なく行わせることができる。
【００３１】
（クレーム１１）
また、表示制御装置は、前記撮影画像で示される前記利用者の顔の向きであって、前記利用者を撮影する撮影手段に対する顔の向きに応じて、前記物品情報が示す形状を制御し、制御した形状の使い捨て着用物品を前記利用者が仮想的に装着した態様で、前記撮影画像に前記使い捨て着用物品の画像を重畳した状態で表示させる。
【００３２】
このような表示制御装置によれば、撮影画像で示される利用者の顔の向きであって、利用者を撮影する撮影手段に対する顔の向きに応じて、物品情報が示す形状を制御し、制御した形状の使い捨て着用物品を前記利用者が仮想的に装着した態様で、撮影画像に使い捨て着用物品の画像を重畳した状態で表示させるため、使い捨て着用物品をした状態での見た目が顔の向きに応じてどのように変化するかを精度よくイメージさせることができる。
【００３３】
（クレーム１２）
また、表示制御装置は、前記利用者の顔のサイズに応じて、前記使い捨て着用物品の画像のサイズを制御し、制御したサイズの画像を前記撮影画像に重畳させる。
【００３４】
このような表示制御装置によれば、利用者の顔のサイズに応じて、使い捨て着用物品の画像のサイズを制御し、制御したサイズの画像を撮影画像に重畳させるため、使い捨て着用物品の装着体験を違和感なく行わせることができる。
【００３５】
（クレーム１３）
また、表示制御装置は、前記利用者により使い捨て着用物品の色または模様が指定された場合には、前記使い捨て着用物品の画像として、指定された色または模様の使い捨て着用物品の画像を前記撮影画像に重畳させる。
【００３６】
このような表示制御装置によれば、利用者により使い捨て着用物品の色または模様が指定された場合には、使い捨て着用物品の画像として、指定された色または模様の使い捨て着用物品の画像を撮影画像に重畳させるため、どのような色や模様の使い捨て着用物品が利用者に適した商品であるか否かを購入前に効果的に認識させることができる。
【００３７】
（クレーム１４）
また、表示制御装置は、前記利用者により使い捨て着用物品のサイズが指定された場合には、前記使い捨て着用物品の画像として、指定されたサイズに応じたサイズの画像を前記撮影画像に重畳させる。
【００３８】
このような表示制御装置によれば、利用者により使い捨て着用物品のサイズが指定された場合には、使い捨て着用物品の画像として、指定されたサイズに応じたサイズの画像を撮影画像に重畳させるため、どのようなサイズの使い捨て着用物品が利用者に適した商品であるか否かを購入前に効果的に認識させることができる。
【００３９】
（クレーム１５）
また、表示制御装置は、利用者に関する利用者情報に基づき特定された利用者であって、前記撮影画像に使い捨て着用物品の画像を重畳した状態で表示させるアプリケーションを導入していない利用者の端末装置に対して、当該アプリケーションを導入するよう案内する案内情報を表示させる。
【００４０】
このような表示制御装置によれば、利用者に関する利用者情報に基づき特定された利用者であって、撮影画像に使い捨て着用物品の画像を重畳した状態で表示させるアプリケーションを導入していない利用者の端末装置に対して、当該アプリケーションを導入するよう案内する案内情報を表示させるため、使い捨て着用物品の装着体験を店頭で行わすための敷居を効果的に下げることができるようになる。
【００４１】
（クレーム１６）
また、表示制御装置は、前記入力情報が入力された後において、前記使い捨て着用物品を仮想的に装着させるパーツであって、前記利用者の身体のパーツが、前記利用者が撮影された撮影画像に含まれないと判定された場合には、当該部位を含むように撮影するよう案内情報を表示させる。
【００４２】
このような表示制御装置によれば、入力情報が入力された後において、使い捨て着用物品を仮想的に装着させるパーツであって、利用者の身体のパーツが、利用者が撮影された撮影画像に含まれないと判定された場合には、当該パーツを含むように撮影するよう案内情報を表示させるため、使い捨て着用物品の画像が、使い捨て着用物品の利用用途に応じた正しい態様で表示されるよう制御することができる。
【００４３】
（クレーム１７）
また、表示制御装置は、前記利用者が撮影された撮影画像であって、前記使い捨て着用物品の画像が重畳された撮影画像のうち、これまでに撮影された撮影画像を比較可能なように表示させる。
【００４４】
このような表示制御装置によれば、利用者が撮影された撮影画像であって、使い捨て着用物品の画像が重畳された撮影画像のうち、これまでに撮影された撮影画像を比較可能なように表示させるため、利用者に対して、どの使い捨て着用物品が似合っているかを容易に比較させることができる。
【００４５】
（クレーム１８）
また、表示制御装置は、前記利用者が撮影された撮影画像であって、前記使い捨て着用物品の画像が重畳された撮影画像のうち、過去に撮影された撮影画像を、現在撮影されている撮影画像であって、前記使い捨て着用物品の画像が重畳された撮影画像とともに表示させる。
【００４６】
このような表示制御装置によれば、利用者が撮影された撮影画像であって、使い捨て着用物品の画像が重畳された撮影画像のうち、過去に撮影された撮影画像を、現在撮影されている撮影画像であって、使い捨て着用物品の画像が重畳された撮影画像とともに表示させるため、利用者に対して、どの使い捨て着用物品が似合っているかを容易に比較させることができる。
【００４７】
（クレーム１９）
また、表示制御装置は、前記利用者が撮影された撮影画像であって、前記使い捨て着用物品の画像が重畳された撮影画像に対して、所定の情報共有サービスへの投稿に応じた所定の情報を表示させる。
【００４８】
このような表示制御装置によれば、利用者が撮影された撮影画像であって、使い捨て着用物品の画像が重畳された撮影画像に対して、所定の情報共有サービスへの投稿に応じた所定の情報を表示させるため、使い捨て着用物品や、使い捨て着用物品の事業者について効果的に宣伝することができるようになる。
【００４９】
（クレーム２０）
また、表示制御装置は、前記所定の情報として、前記使い捨て着用物品に関する情報を表示させる。
【００５０】
このような表示制御装置によれば、所定の情報として、使い捨て着用物品に関する情報を表示させるため、使い捨て着用物品や、使い捨て着用物品の事業者について効果的に宣伝することができるようになる。
【００５１】
［実施形態］
以下に、表示制御装置、表示制御方法および表示制御プログラムを実施するための形態（以下、「実施形態」と記載する）の一例について図面を参照しつつ詳細に説明する。なお、この実施形態により表示制御装置、表示制御方法および表示制御プログラムが限定されるものではない。また、以下の実施形態において同一の部位には同一の符号を付し、重複する説明は省略する。
【００５２】
〔１．実施形態に係る表示制御処理の概要〕
まず、前提に沿って実施形態に係る表示制御処理の概要について説明する。使い捨て着用物品の一例としては、マスクが挙げられるが、近年マスクの需要は高まっている。また、マスクは、通年で使用されることも多いため、着用した際の見た目を気にしたり、なるべくファッショナブルに着用したという人も多くなってきている。このため、購入前にマスクを試着することが出来れば便利であるが、マスクは、衛生商品であり、また、その多くが使い捨て商品であるため、購入前に試着させることは難しい。
【００５３】
そこで、実施形態に係る表示制御処理は、このような問題点を解決するための着想であり、利用者が有する端末装置（例えば、スマートフォンなど）、あるいは、店頭に置かれた端末装置（例えば、タブレット端末やデジタルサイネ−ジなど）を介して、利用者に対して、仮想的にマスクの画像を装着させることで、マスクを着用した際の見た目をシミュレーションさせるというものである。
【００５４】
具体的には、実施形態に係る表示制御処理は、利用者による入力情報に応じて特定された使い捨て着用物品の形状を示す物品情報を取得し、取得した物品情報が示す形状の使い捨て着用物品を利用者が仮想的に装着した態様で、利用者が撮影された撮影画像に当該使い捨て着用物品の画像を重畳した状態で表示させる、というものである。
【００５５】
そして、このような表示制御処理によれば、使い捨て着用物品（例えば、マスク）が利用者に適した商品であるか否かを購入前に効果的に認識させることができるようになる。
【００５６】
また、上記の通り、実施形態に係る表示制御処理は、端末装置を介して、利用者に対して仮想的にマスクの画像を装着させるものであるため、利用者は店頭などで簡単にマスクの装着体験ができるようになる。このことを「売り」として、例えば、「スマホで簡単に装着体験！」といった店頭ポップとともに、自社製品（例えば、事業者Ｔ）のマスクを陳列すれば、自社製品の訴求力を高めることができる。後に図１を用いて、店頭ポップが付された状態でマスクが陳列される陳列コーナーのイメージを示す。
【００５７】
〔２．表示制御処理に対応するプログラムについて〕
次に、実施形態に係る表示制御処理に対応するプログラムについて説明する。係るプログラムは、利用者による入力情報に応じて特定された使い捨て着用物品の形状を示す物品情報を取得する取得手順と、取得手順により取得された物品情報が示す形状の使い捨て着用物品を前記利用者が仮想的に装着した態様で、利用者が撮影された撮影画像に当該使い捨て着用物品の画像を重畳した状態で表示させる表示制御手順とをコンピュータに実行させるためのプログラムである。
【００５８】
そして、このようなプログラムである実施形態に係るアプリケーションは、例えば、利用者が有する端末装置（例えば、スマートフォンなど）、店頭に置かれた端末装置（例えば、タブレット端末やデジタルサイネ−ジなど）といった、所謂、エンドユーザ用の端末装置、あるいは、係る端末装置と通信を行うサーバ装置に対して導入（インストール）される。
【００５９】
以下の実施形態では、このような端末装置の一例として端末装置１０を例示し、また、このようなサーバ装置の一例としてサーバ装置１００を例示する。また、端末装置１０およびサーバ装置１００は、ともに表示制御装置の一例といえる装置である。
【００６０】
また、実施形態に係るアプリケーションは、端末装置１０とサーバ装置１００を連携させるために端末装置１０にインストールされる専用のアプリケーション（以下「アプリＡＰ１１」とする）であってもよい。一方で、実施形態に係るアプリケーションは、端末装置１０にインストールされる汎用的なアプリケーション（「アプリＡＰ１２」）であってもよい。例えば、アプリＡＰ１２は、端末装置１０の有するブラウザ上で動作するウェブアプリ（ウェブコンテンツを表示させるためのアプリケーション）あってもよい。
【００６１】
また、アプリＡＰ１１およびアプリＡＰ１２は、実施形態に係る表示制御処理を端末装置１０またはサーバ装置１００の少なくともいずれか一方に対して実行させるためのアプリケーションといえる。本実施形態では、アプリＡＰ１１またはアプリＡＰ１２の制御に従って、端末装置１０とサーバ装置１００とが協働して実施形態に係る表示制御処理を行うものとして説明するが、例えば、端末装置１０がアプリＡＰ１１またはアプリＡＰ１２の制御に従って、単独で実施形態に係る表示制御処理を行ってもよい。
【００６２】
また、アプリＡＰ１１がインストールされている場合における、端末装置１０およびサーバ装置１００との間で行われる実施形態に係る表示制御処理と、アプリＡＰ１２がインストールされている場合における、端末装置１０およびサーバ装置１００との間で行われる実施形態に係る表示制御処理とを、それぞれ分けて説明する。前者については、主に図３で説明し、後者については主に図４で説明する。一方で、アプリＡＰ１１がインストールされている場合での表示制御処理は、アプリＡＰ１２の制御によって行われてもよい。また、アプリＡＰ１２がインストールされている場合での表示制御処理は、アプリＡＰ１１の制御によって行われてもよい。
【００６３】
〔３．使い捨て着用物品について〕
次に、使い捨て着用物品について説明する。本実施形態では、実施形態に係る使い捨て着用物品は、マスクであるものとする。具体的には、実施形態に係る使い捨て着用物品は、不織布で構成された使い捨てマスクであるものとする。一方で、使い捨て着用物品は、必ずしもマスクである必要はなく、例えば、大人用の吸収性物品（大人用おむつ）であってもよい。
【００６４】
〔４．記憶部と店頭での陳列について〕
次に、図１を用いて、サーバ装置１００が有する記憶部と、店頭ポップが付された状態でマスクが陳列される陳列コーナーについて説明する。図１は、陳列コーナーを概念的に説明する説明図である。
【００６５】
図１の左側には、表示制御装置の一例であるサーバ装置１００が有する記憶部のうち、商品としてのマスクに関する各種情報を記憶する商品情報記憶部１２１の一例が示されている。図１に示す商品情報記憶部１２１は、「シリーズ情報」、「第１タイプ」、「第２タイプ」、「商品ＩＤ」、「ＡＲ情報」、「取扱店舗」といった項目を有する。
【００６６】
「シリーズ情報」は、サーバ装置１００に対応する事業者（マスク販売メーカー）である事業者Ｔによるマスク商品に関するシリーズ情報を示す。「シリーズ情報」に対応付けられる商品（「商品ＩＤ」で識別される商品）は、「シリーズ情報」が示す商品シリーズに対応する。図１の例では、シリーズ情報「今春発売新商品」に対して、商品ＩＤ「ＰＤ１１」で識別されるマスク商品（マスクＰＤ１１）が対応付けられている。係る例は、マスクＰＤ１１は、事業者Ｔにより今春発売された新商品シリーズ（ラインナップ）のうちの１つである例を示す。
【００６７】
「第１タイプ」および「第２タイプ」は、マスクを用途（例えば、女性用、子供用など）、形状（プリーツ型、立体型など）、各種スペック（着用した際の付け心地、マスクを介して発散される息の状況など）などで分類するための分類情報、すなわち、マスクのカテゴリに対応し、「第１タイプ」および「第２タイプ」は、それぞれカバーする範囲（粒度）が異なる。具体的には、「第２タイプ」は、「第１タイプ」よりも粒度の狭いカテゴリである。換言すると、「第２タイプ」は、「第１タイプ」に対して下位のカテゴリに相当する。また、このようなことから、「第１タイプ」および「第２タイプ」は、階層構造の関係性にある。
【００６８】
図１に示す商品情報記憶部１２１の例では、第１タイプとして、「ＴＹ１１」・「ＴＹ１２」・「ＴＹ１３」・「ＴＹ１４」が示されている。また、図１に示す商品情報記憶部１２１の例では、第１タイプ「ＴＹ１１」には、第２タイプとして、「ＴＹ１１−１」および「ＴＹ１１−２」が対応付けられている。また、図１に示す商品情報記憶部１２１の例では、第１タイプ「ＴＹ１２」には、第２タイプとして、「ＴＹ１２−１」および「ＴＹ１２−２」が対応付けられている。また、図１に示す商品情報記憶部１２１の例では、第１タイプ「ＴＹ１３」には、第２タイプとして、「ＴＹ１３−１」および「ＴＹ１３−２」が対応付けられている。また、図１に示す商品情報記憶部１２１の例では、第１タイプ「ＴＹ１４」には、第２タイプとして、「ＴＹ１４−１」および「ＴＹ１４−２」が対応付けられている。
【００６９】
「商品ＩＤ」は、マスク商品を識別する識別情報を示す。「商品ＩＤ」は、マスク商品を識別可能な情報であればいかなる情報であってもよく、「商品ＩＤ」としては、例えば、商品番号、商品名（ブランド名）が挙げられる。また、「商品ＩＤ」で識別される各マスク商品は、表示候補のマスク商品といえる。
【００７０】
「ＡＲ情報」は、マスクの仮想的な画像（例えば、マスクを３次元的に示す仮想的な立体画像）であるＡＲ画像を生成するための元となる情報であり、少なくともマスクの形状を示す情報が含まれる。また、「ＡＲ情報」は、マスクの形状を示す物品情報の一例である。また、「ＡＲ情報」には、マスクのデフォルトの色や模様を示す情報も含まれてよい。図１に示す商品情報記憶部１２１の例では、商品ＩＤ「ＰＤ１１」で識別されるマスク商品であるマスクＰＤ１１に対して、ＡＲ情報「３Ｄ１１」が対応付けられている。係る例では、ＡＲ情報「３Ｄ１１」には、マスクＰＤ１１の特徴的な形状を示す情報が物品情報として含まれる。例えば、マスクＰＤ１１は、プリーツタイプであるとともに、事業者Ｔ特有の形状を有しているマスク商品であるとすると、ＡＲ情報「３Ｄ１１」には、この特徴的な形状を示す情報が含まれる。
【００７１】
「取扱店舗」は、商品ＩＤで識別されるマスク商品を取り扱っている店舗を示す情報である。例えば、「取扱店舗」は、商品ＩＤで識別されるマスク商品を取り扱っている店舗を識別する店舗ＩＤ、店舗名、店舗所在地などである。
【００７２】
次に、店頭ポップについて説明する。図１の右側には、店頭ポップが付された状態でマスクが陳列される陳列コーナーの一例が示される。図１の例では、商品情報記憶部１２１で管理されているマスク商品のうち、マスクＰＤ２１が、店舗ＳＨ１の店頭に設置される陳列コーナーＣＮ１１に置かれた状態で販売されている様子が示されている。また、図１の例では、陳列コーナーＣＮ１１の最前部に、「スマホで簡単に装着体験！」と記載された店頭ポップＰ２１が付されている。また、店頭ポップＰ２１には、実施形態に係る表示制御のトリガーとなるＱＲコード（登録商標）として、コード情報ＱＲ２１が示されている。また、コード情報ＱＲ２１には、例えば、マスクＰＤ２１を識別する商品ＩＤが含まれている。したがって、利用者は、自身の端末装置１０を介して、マスクを着用した際の自身の見た目をシミュレーションしたい場合、まずは、端末装置１０の撮像手段（図６に示す撮像部１３）を用いて、端末装置１０にコード情報ＱＲ２１を入力することで、端末装置１０にコード情報ＱＲ２１を読み取らせる。
【００７３】
なお、例えば、店舗ＳＨ１は、マスクＰＤ２１の他にもマスクＰＤ２２を取り扱っている場合、陳列コーナーＣＮ１１の隣の陳列コーナーＣＮ１２（付図示）においてマスクＰＤ２２が陳列され、また、陳列コーナーＣＮ１２には、マスクＰＤ２２に対応する店頭ポップＰ２２（付図示）が付される。ここで、店頭ポップＰ２２に示されるＱＲコードは、店頭ポップＰ２１と同様のコード情報ＱＲ２１であってもよいし、マスクＰＤ２２を識別する商品ＩＤが含まれる他のＱＲコードであってもよい。
【００７４】
また、異なるマスク商品それぞれのシミュレーションを行いたい場合、その都度、マスク商品毎のＱＲコードを入力するのは面倒な場合がある。したがって、１つの店舗が事業者Ｔにおける複数の異なるマスク商品を陳列している場合であっても、このうちのいずれかのマスク商品にだけＱＲコードが対応付けられていてもよい。また、１つの店舗が事業者Ｔにおける複数の異なるマスク商品を陳列しているにも拘わらず、ＱＲコードは１つという場合であっても、表示候補のマスク商品の中から、表示を希望するマスク商品を選択させることで、利用者がシミレーションしたいと考えるマスク商品に対応するマスク画像を表示させることができるようになる。この点については、図２で詳細に説明する。
【００７５】
〔５．表示制御処理について〕
ここからは、図２〜図４を用いて、実施形態に係る表示制御処理の一例について説明する。図２では、実施形態に係る表示制御処理のうち、利用者による入力に応じて、サーバ装置１００が、入力された情報に応じたマスク商品に対応するＡＲ情報を取得するまでの処理について説明する。また、図３では、端末装置１０が、アプリＡＰ１１に従って動作する場合の表示制御処理の一例について説明する。また、図４では、端末装置１０が、アプリＡＰ１２に従って動作する場合の表示制御処理の一例について説明する。
【００７６】
また、図２〜図４では、利用者Ｕ１が自身の端末装置１０を用いて、マスクを着用した際の見た目をシミュレーションしようとする場合を想定する。より具体的には、利用者Ｕ１は、店舗ＳＨ１の陳列コーナーＣＮ１１に置かれるマスクＰＤ２１を着用した際の見た目をシミュレーションするために、店頭ポップＰ２１に示されるコード情報ＱＲ２１を入力する場合を想定する。
【００７７】
〔５−１．表示制御処理（１）について〕
まず、図２を用いて、サーバ装置１００が、利用者による入力に応じて、入力された情報に応じたマスク商品に対応するＡＲ情報を取得するまでの処理について説明する。図２は、実施形態に係る表示制御処理の一例（１）を示す図である。
【００７８】
まず、利用者Ｕ１が、端末装置のカメラ（図６に示す撮像部１３）を用いて、ＱＲコードであるコード情報ＱＲ２１を端末装置１０に入力したとする。係る例では、コード情報ＱＲ２１は、利用者Ｕ１による入力情報といえる。また、コード情報は、マスク商品が陳列されている陳列棚に付された識別情報ともいえる。
【００７９】
そして、端末装置１０は、ＱＲコードの入力を受け付けると、ＱＲコードを読み取ることにより、ＱＲコードで示される商品ＩＤを検出する（ステップＳ１１）。具体的には、端末装置１０は、コード情報ＱＲ２１の入力を受け付けると、コード情報ＱＲ２１を読み取ることにより、コード情報ＱＲ２１で示される商品ＩＤを検出する。図１の例では、端末装置１０は、商品ＩＤとして、マスクＰＤ２１を示す商品ＩＤ「ＰＤ２１」を検出したものとする。
【００８０】
次に、端末装置１０は、検出した商品ＩＤをサーバ装置１００に送信する。例えば、端末装置１０は、所定のアプリケーションを介して、検出した商品ＩＤをサーバ装置１００に送信する。例えば、端末装置１０にアプリＡＰ１１がインストールされている場合、端末装置１０は、アプリＡＰ１１の制御に従い、検出した商品ＩＤをサーバ装置１００に送信する。また、端末装置１０にはアプリＡＰ１１がインストールされていない一方で、アプリＡＰ１２がインストールされている場合（すなわち、アプリＡＰ１２に対応するウェブアプリであるブラウザがインストールされている場合）、端末装置１０は、アプリＡＰ１２を介して、検出した商品ＩＤをサーバ装置１００に送信する。このような送信により、サーバ装置１００は、端末装置１０から商品ＩＤを取得する（ステップＳ１２）。具体的には、サーバ装置１００は、端末装置１０が商品ＩＤ「ＰＤ２１」を送信したことにより、端末装置１０から商品ＩＤ「ＰＤ２１」を取得する。
【００８１】
なお、コード情報ＱＲ２１に店舗ＳＨ１を識別する店舗ＩＤが含まれている場合、端末装置１０は、商品ＩＤとともにこの店舗ＩＤもサーバ装置１００に送信してもよい。これにより、サーバ装置１００は、商品情報記憶部１２１の「取扱店舗」と、端末装置１０から取得した「店舗ＩＤ」とのマッチングにより、店舗ＳＨ１で取り扱われているマスク商品のうち、事業者Ｔのマスク商品を特定することが可能となる。
【００８２】
次に、サーバ装置１００は、商品ＩＤに基づいて、表示候補のマスク商品を特定し、特定した表示候補のマスク商品から、表示を希望するマスク商品を選択させる選択コンテンツを生成する（ステップＳ１３）。具体的には、サーバ装置１００は、商品ＩＤ「ＰＤ２１」に基づいて、表示候補のマスク商品を特定し、特定した表示候補のマスク商品から、表示を希望するマスク商品を選択させる選択コンテンツを生成する。
【００８３】
例えば、サーバ装置１００は、商品ＩＤ「ＰＤ２１」で識別されるマスクＰＤ２１、および、マスクＰＤ２１に関連するマスク商品を表示候補のマスク商品として特定する。図１に示す商品情報記憶部１２１の例によると、マスクＰＤ１１およびマスクＰＤ１２は、マスクＰＤ２１と同一シリーズの商品であって、また、ブランドの観点からも関連しているものとする。したがって、図２の例では、サーバ装置１００は、マスクＰＤ２１に関連するマスク商品であるマスクＰＤ１１およびマスクＰＤ１２を抽出し、結果的に、マスクＰＤ１１、マスクＰＤ１２、マスクＰＤ２１を表示候補のマスク商品として特定したものとする。
【００８４】
また、係る例では、マスクＰＤ１１、マスクＰＤ１２、マスクＰＤ２１は、識別情報に応じて特定されたマスクの一例である。また、ステップＳ１３の処理について、サーバ装置１００は、識別情報に応じて特定された使い捨て着用物品として、識別情報で識別される着用物品、および、識別情報で識別される着用物品に関連する着用物品を、表示候補の使い捨て着用物品として特定する、と概念的に表記することができる。なお、関連商品と特定するための判断材料は、シリーズやブランドに限定される必要はない。
【００８５】
ここで、選択コンテンツの生成の一例について、図１に示す商品情報記憶部１２１の例を用いて説明する。例えば、サーバ装置１００は、マスクＰＤ２１が属するカテゴリのうち粒度のより広いカテゴリ（より上位のカテゴリ）である第１のカテゴリに対応する第１タイプ「ＴＹ１２」、および、マスクＰＤ１１とマスクＰＤ１２とが属するカテゴリのうち粒度のより広いカテゴリ（より上位のカテゴリ）である第１のカテゴリに対応する第１タイプ「ＴＹ１１」のうちのいずれかを選択させる選択コンテンツＣ１１１を生成する。
【００８６】
また、サーバ装置１００は、第１のカテゴリより粒度の狭い（すなわち、第１のカテゴリに対して下位の）第２のカテゴリに対応する第２タイプであって、マスクＰＤ２１の第１タイプに対応する第２タイプ「ＴＹ１２−１」および「ＴＹ１２−２」のうちのいずれかを選択させる選択コンテンツＣ１１１−１を生成する。また、サーバ装置１００は、第１のカテゴリより粒度の狭い（すなわち、第１のカテゴリに対して下位の）第２のカテゴリに対応する第２タイプであって、マスクＰＤ１１およびマスクＰＤ１２の第１タイプに対応する第２タイプ「ＴＹ１１−１」および「ＴＹ１１−２」のうちのいずれかを選択させる選択コンテンツＣ１１１−２を生成する。
【００８７】
また、サーバ装置１００は、選択コンテンツＣ１１１において第１タイプ「ＴＹ１１」が選択された場合には選択コンテンツＣ１１１−２に遷移され、選択コンテンツＣ１１１において第１タイプ「ＴＹ１２」が選択された場合には選択コンテンツＣ１１１−１に遷移されるように選択コンテンツＣ１１を生成する。具体的には、サーバ装置１００は、上記のような遷移が実現されるよう選択コンテンツＣ１１１、選択コンテンツＣ１１１−１、選択コンテンツＣ１１１−２を組み合わせることで、選択コンテンツＣ１１を生成する。これにより、利用者Ｕ１は、第１のカテゴリを選択し、選択した第１のカテゴリに対応する第２のカテゴリをさらに選択することで、表示を希望するマスク商品を絞り込むことができる。
【００８８】
なお、サーバ装置１００は、図２で示した例のように、階層構造の関係にあるカテゴリを順に選択させることで、表示を希望するマスク商品を絞り込ませるのではなく、単純に、表示候補のマスク商品それぞれを示す商品情報（例えば、商品名）が一覧表示される一覧コンテンツを生成することで、一覧の中から表示を希望するマスク商品を選択させてもよい。
【００８９】
また、サーバ装置１００は、利用者Ｕ１に関する利用者情報に基づいて、表示候補のマスク商品の中から、利用者Ｕ１に応じた表示候補のマスク商品を特定する。そして、サーバ装置１００は、特定した表示候補のマスク商品それぞれを示す商品情報（例えば、商品名）が一覧表示される一覧コンテンツを生成することで、一覧の中から表示を希望するマスク商品を選択させてもよい。例えば、サーバ装置１００は、利用者Ｕ１にの属性情報（例えば、年齢や性別など）、あるいは、利用者Ｕ１の嗜好性（例えば、好みの形状、色、スペック）に基づいて、表示候補のマスク商品の中から、利用者Ｕ１に応じた表示候補のマスク商品を特定する。例えば、サーバ装置１００は、利用者Ｕ１の行動を示す行動情報（例えば、購買履歴や閲覧履歴）に基づいて、利用者Ｕ１の嗜好性を推定することができる。
【００９０】
また、サーバ装置１００は、利用者Ｕ１が現在利用している店舗（図２の例では、店舗ＳＨ１）で取り扱われている取扱商品の中から、利用者Ｕ１に応じた表示候補のマスク商品を特定してもよい。例えば、サーバ装置１００は、利用者Ｕ１の位置情報から利用者Ｕ１が現在利用している店舗を特定し、特定した店舗で取り扱われている取扱商品の中から、利用者Ｕ１に応じた表示候補のマスク商品を特定してもよい。また、例えば、サーバ装置１００は、ステップＳ１２において、商品ＩＤとともに店舗ＩＤも取得できている場合には、取得た店舗ＩＤで識別される店舗で取り扱われている取扱商品の中から、利用者Ｕ１に応じた表示候補のマスク商品を特定してもよい。
【００９１】
図２の説明に戻り、サーバ装置１００は、ステップＳ１３で生成した選択コンテンツを利用者Ｕ１に送信する（ステップＳ１４）。具体的には、サーバ装置１００は、選択コンテンツＣ１１を利用者Ｕ１の端末装置１０に送信する。
【００９２】
そうすると、利用者Ｕ１は、選択コンテンツＣ１１で表示される第１タイプ（第１のカテゴリ）のうち、表示を希望するマスク商品に対応していると思われる第１タイプを選択し、また、選択に応じて遷移した選択コンテンツＣ１１で表示される第２タイプ（第２のカテゴリ）のうち、表示を希望するマスク商品に対応していると思われる第２タイプを選択する。このような選択に応じて、端末装置１０は、選択されたカテゴリを示すカテゴリ情報をサーバ装置１００に送信する（ステップＳ１５）。図２の例では、利用者Ｕ１は、選択コンテンツＣ１１１−２において第２タイプ「ＴＹ１２−１」を選択したとすると、端末装置１０は、第２タイプ「ＴＹ１２−１」を示すカテゴリ情報をサーバ装置１００に送信する。
【００９３】
サーバ装置１００は、カテゴリ情報を受信すると、受信したカテゴリ情報に基づいて、選択されたカテゴリに属するマスク商品の形状を示すＡＲ情報（物品情報の一例）を取得する（ステップＳ１６）。例えば、サーバ装置１００は、第２タイプ「ＴＹ１２−１」を示すカテゴリ情報を受信したとすると、第２タイプ「ＴＹ１２−１」に属するマスク商品を特定し、特定したマスク商品の形状を示すＡＲ情報を商品情報記憶部１２１から取得する。図１に示す商品情報記憶部１２１の例では、サーバ装置１００は、第２タイプ「ＴＹ１２−１」に属するマスク商品としてマスクＰＤ２１を特定し、マスクＰＤ２１の形状を示すＡＲ情報としてＡＲ情報３Ｄ２１を商品情報記憶部１２１から取得する。
【００９４】
なお、第２タイプ「ＴＹ１２−１」に属するマスク商品が複数存在する場合には、サーバ装置１００は、これらマスク商品を示す商品情報を利用者Ｕ１に提示することで、表示を希望するマスク商品を選択させてもよい。
【００９５】
また、これまでの例では、サーバ装置１００が、表示候補のマスク商品の中から、表示を希望するマスク商品を絞り込ませたり、表示候補のマスク商品の中から、表示を希望するマスク商品そのものを選択させる例を示した。しかし、サーバ装置１００は、端末装置１０から取得したＱＲコードによって、表示候補のマスク商品の中から一意にマスク商品が決まる場合には、このマスク商品のＡＲ情報を取得してもよい。例えば、コード情報ＱＲ２１で示される商品ＩＤが商品ＩＤ「ＰＤ２１」である場合には、商品ＩＤ「ＰＤ２１」によってマスク商品は１つのマスクＰＤ２１に決まる。また、マスクＰＤ２１は、利用者Ｕ１が目をとめた陳列コーナーＣＮ１１において現在陳列されているマスク商品である。
【００９６】
したがって、サーバ装置１００は、ステップＳ１２で商品ＩＤ「ＰＤ２１」を取得した図２の例では、ステップＳ１３〜Ｓ１６を行うことなく、マスクＰＤ２１のＡＲ情報としてＡＲ情報３Ｄ２１を取得してもよい。また、このような処理について、サーバ装置１００は、識別情報で識別される使い捨て着用物品であって、陳列棚に現在陳列されている使い捨て着用物品の形状を示す物品情報を取得する、と概念的に表記することができる。
【００９７】
図２の説明に戻り、サーバ装置１００は、ステップＳ１６で取得したＡＲ情報を利用者Ｕ１に送信する（ステップＳ１７）。具体的には、サーバ装置１００は、ステップＳ１６で取得したＡＲ情報３Ｄ２１を利用者の端末装置１０に送信する。
【００９８】
〔５−２．表示制御処理（２）について〕
ここまで、図２を用いて、サーバ装置１００が、利用者による入力に応じて、入力された情報に応じたマスク商品に対応するＡＲ情報を取得するまでの処理について説明してきた。ここからは、図３を用いて、端末装置１０が、アプリＡＰ１１に従って動作する場合の表示制御処理の一例について説明する。図３は、実施形態に係る表示制御処理の一例（２）を示す図である。また、以下に説明する処理は、図２のステップＳ１７に続く処理である。
【００９９】
端末装置１０は、サーバ装置１００からＡＲ情報を取得すると、取得したＡＲ情報からマスク画像を生成する（ステップＳ２１）。具体的には、端末装置１０は、サーバ装置１００からＡＲ情報３Ｄ２１を取得すると、ＡＲ情報３Ｄ２１が示す形状であって、マスクＰＤ２１の形状に基づいて、この形状を仮想的に再現する立体画像をマスクＰＤ２１のマスク画像として生成する。図３の例では、端末装置１０は、このようなマスク画像としてマスク画像ＧＰ２１を生成したものとする。
【０１００】
また、端末装置１０は、ＡＲ情報を取得したことに応じて、カメラを動的に起動するとともに、起動したカメラの撮影範囲内に顔全体が含まれるように顔を撮影するよう案内する案内情報を表示画面（図６に示す出力部１４）に表示させる（ステップＳ２２）。例えば、アプリＡＰ１１がカメラアプリとしての機能も有する場合には、端末装置１０は、アプリＡＰ１１内でカメラ（図６に示す撮像部１３）を動的に起動することで、表示画面にカメラによる現在の撮影画像を表示させる。一方、アプリＡＰ１１がカメラアプリとしての機能を有さない場合には、端末装置１０は、予めインストールされている所定のカメラアプリを動的に起動することで、表示画面にカメラによる現在の撮影画像を表示させてもよい。なお、端末装置１０は、利用者Ｕ１が自身の顔を撮影できるようインカメラを起動する。
【０１０１】
また、端末装置１０は、カメラによる撮影範囲に対応する枠情報と、例えば、「この枠の中に顔が入るようにして撮影して下さい」といった文字情報から成る案内情報を表示画面に表示させる。
【０１０２】
カメラは、起動されている限り連続的に撮影し続ける。したがって、端末装置１０は、カメラによる撮影画像を順次取得することにより、取得した各撮影画像に基づいて、利用者Ｕ１の顔のパーツを検出する（ステップＳ２３）。例えば、端末装置１０は、撮影画像に基づいて、マスクを仮想的に装着させるパーツであって、利用者Ｕ１の顔のパーツを検出する。例えば、端末装置１０は、利用者Ｕ１の目・鼻・口・耳を検出する。また、端末装置１０は、利用者Ｕ１の顎のラインの形状や、利用者Ｕ１の顔の向きであって、利用者Ｕ１を撮影するカメラに対する顔の向きも検出する。また、端末装置１０は、利用者Ｕ１の顔のサイズをさらに検出（推定）してもよい。
【０１０３】
また、端末装置１０は、上記のように検出した検出結果に基づいて、マスクを仮想的に装着させるパーツであって、利用者Ｕ１の顔のパーツが現在の撮影画像に含まれるか否かを判定し、含まれないと判定した場合には、顔のパーツを含むように撮影するよう案内情報を表示画面に表示させてもよい。例えば、端末装置１０は、検出結果に基づいて、マスクの利用用途に応じた顔のパーツ（例えば、例えば、鼻よりも下の顔の部分）の全て／または一部を検出できない場合には、利用者Ｕ１の顔のパーツが現在の撮影画像に含まれないと判定する。そして、端末装置１０は、撮影範囲に対応する枠情報と、例えば、「顔が映っていません。この枠の中に顔が入るようにして撮影して下さい」といった文字情報から成る案内情報を表示画面に表示させる。
【０１０４】
次に、端末装置１０は、検出した顔のパーツに基づいて、ＡＲ情報が示す形状のマスクを利用者Ｕ１が仮想的に装着した態様で、利用者Ｕ１が撮影された現在の撮影画像に当該マスクのマスク画像を重畳した状態で表示させる（ステップＳ２４）。具体的には、端末装置１０は、検出した顔のパーツに基づいて、ＡＲ情報３Ｄ２１が示す形状のマスクＰＤ２１を利用者Ｕ１が仮想的に装着した態様で、利用者Ｕ１が撮影された現在の撮影画像にマスクＰＤ２１のマスク画像ＧＰ２１を重畳した状態で表示させる。例えば、端末装置１０は、検出した顔のパーツに基づいて、マスクの利用用途に応じた適切な顔の位置に対してＡＲ情報３Ｄ２１が示す形状のマスクＰＤ２１が位置するよう、現在の撮影画像にマスク画像ＧＰ２１を重畳した状態で表示させる。
【０１０５】
また、端末装置１０は、利用者Ｕ１の顎のラインの形状を検出している場合には、検出した形状に合うようにマスク画像ＧＰ２１の形状を制御する。また、端末装置１０は、利用者Ｕ１の顔のサイズを検出している場合には、検出したサイズに合うようにマスク画像ＧＰ２１の形状を制御する。また、端末装置１０は、利用者Ｕ１の顔の向きであって、利用者Ｕ１を撮影するカメラに対する顔の向きを検出している場合には、検出した向きに合うようにマスク画像ＧＰ２１の形状を制御する。例えば、利用者がカメラに対して右を向いている場合には、向きに合わせてＡＲ情報３Ｄ２１を回転させることで、マスク画像ＧＰ２１の形状を制御する。
【０１０６】
そして、端末装置１０は、制御した後の形状のマスクＰＤ２１を利用者Ｕ１が仮想的に装着した態様で、利用者Ｕ１が撮影された現在の撮影画像にマスクＰＤ２１のマスク画像ＧＰ２１を重畳した状態で表示させる。具体的には、端末装置１０は、マスクの利用用途に応じた適切な顔の位置に対して、制御した後の形状のマスクＰＤ２１が位置するよう、現在の撮影画像にマスク画像ＧＰ２１を重畳した状態で表示させる。
【０１０７】
また、端末装置１０は、マスク画像ＧＰ２１が利用者Ｕ１の顔の動きの変化に追従するよう表示させる。また、端末装置１０は、マスク画像ＧＰ２１が利用者Ｕ１の顔の向きの変化に応じて、マスク画像ＧＰ２１の形状を制御する。
【０１０８】
〔５−３．表示制御処理（２）について〕
次に、図４を用いて、端末装置１０が、アプリＡＰ１２に従って動作する場合の表示制御処理の一例について説明する。図４は、実施形態に係る表示制御処理の一例（３）を示す図である。また、以下に説明する処理は、図２のステップＳ１６に続く処理である。
【０１０９】
図１のステップＳ１６で説明したように、サーバ装置１００は、ＡＲ情報を商品情報記憶部１２１から取得すると、取得したＡＲ情報からマスク画像を生成する（ステップＳ３１）。具体的には、サーバ装置１００は、マスクＰＤ２１の形状を示すＡＲ情報としてＡＲ情報３Ｄ２１を商品情報記憶部１２１から取得すると、ＡＲ情報３Ｄ２１が示す形状であって、マスクＰＤ２１に基づいて、この形状を仮想的に再現する立体画像をマスクＰＤ２１のマスク画像として生成する。図４の例では、サーバ装置１００は、このようなマスク画像として、図３の例と同様にマスク画像ＧＰ２１を生成したものとする。
【０１１０】
また、サーバ装置１００は、カメラの撮影範囲内に顔全体が含まれるように顔を撮影するよう案内する案内情報を利用者Ｕ１の端末装置１０に送信する（ステップＳ３２）。例えば、サーバ装置１００は、カメラの撮影範囲内に顔全体が含まれるように顔を撮影するよう案内する案内情報を端末装置１０に送信する。
【０１１１】
端末装置１０は、案内情報を受信すると、案内情報を受信したことに応じて、カメラを動的に起動するとともに、受信した案内情報を表示画面（図６に示す出力部１４）に表示させる（ステップＳ３３）。例えば、アプリＡＰ１２がカメラアプリとしての機能も有する場合には、端末装置１０は、アプリＡＰ１２内でカメラ（図６に示す撮像部１３）を動的に起動することで、表示画面にカメラによる現在の撮影画像を表示させる。一方、アプリＡＰ１２がカメラアプリとしての機能を有さない場合には、端末装置１０は、予めインストールされている所定のカメラアプリを動的に起動することで、表示画面にカメラによる現在の撮影画像を表示させてもよい。なお、端末装置１０は、利用者Ｕ１が自身の顔を撮影できるようインカメラを起動する。
【０１１２】
また、端末装置１０は、カメラによる撮影範囲に対応する枠情報と、例えば、「この枠の中に顔が入るようにして撮影して下さい」といった文字情報から成る案内情報を表示画面に表示させる。
【０１１３】
カメラは、起動されている限り連続的に撮影し続ける。したがって、端末装置１０は、アプリＡＰ１２を介して、カメラによる撮影画像を順次サーバ装置に送信する。これにより、サーバ装置１００は、端末装置１０カメラによって撮影が行われている間は、アプリＡＰを介して、端末装置１０から順次撮影画像を取得する（ステップＳ３４）。
【０１１４】
次に、サーバ装置１００は、取得した各撮影画像に基づいて、利用者Ｕ１の顔のパーツを検出する（ステップＳ３５）。例えば、サーバ装置１００は、撮影画像に基づいて、マスクを仮想的に装着させるパーツであって、利用者Ｕ１の顔のパーツを検出する。例えば、サーバ装置１００は、利用者Ｕ１の目・鼻・口・耳を検出する。また、サーバ装置１００は、利用者Ｕ１の顎のラインの形状や、利用者Ｕ１の顔の向きであって、利用者Ｕ１を撮影するカメラに対する顔の向きも検出する。また、サーバ装置１００は、利用者Ｕ１の顔のサイズをさらに検出（推定）してもよい。
【０１１５】
また、サーバ装置１００は、上記のように検出した検出結果に基づいて、マスクを仮想的に装着させるパーツであって、利用者Ｕ１の顔のパーツが現在の撮影画像に含まれるか否かを判定する。そして、サーバ装置１００は、含まれないと判定した場合には、顔のパーツを含むように撮影するよう案内情報を端末装置１０に送信することで、係る案内情報を表示画面に表示させてもよい。例えば、サーバ装置１００は、検出結果に基づいて、マスクの利用用途に応じた顔のパーツ（例えば、例えば、鼻よりも下の顔の部分）の全て／または一部を検出できない場合には、利用者Ｕ１の顔のパーツが現在の撮影画像に含まれないと判定する。そして、サーバ装置１００は、撮影範囲に対応する枠情報と、例えば、「顔が映っていません。この枠の中に顔が入るようにして撮影して下さい」といった文字情報から成る案内情報を端末装置１０に送信することによりこれを表示させる。
【０１１６】
図４の説明に戻ると、サーバ装置１００は、検出した顔のパーツに基づいて、ステップＳ３１で生成したマスク画像を端末装置１０に表示させる（ステップＳ３６）。具体的には、サーバ装置１００は、検出した顔のパーツに基づいて、マスク画像ＧＰ２１を端末装置１０の表示画面に表示させる。例えば、サーバ装置１００は、連続的に端末装置１０から撮影画像を取得することにより、撮影画像を取得するたびに、取得した撮影画像に対して顔のパーツを検出する。このため、サーバ装置１００は、顔のパーツを検出する度に、検出結果を端末装置１０に送信することで、端末装置１０に対して、検出結果と現在の撮影画像とに基づきマスク画像ＧＰ２１を表示するよう制御する。
【０１１７】
このようなステップＳ３６での制御により、端末装置１０は、ＡＲ情報が示す形状のマスクを利用者Ｕ１が仮想的に装着した態様で、利用者Ｕ１が撮影された現在の撮影画像に当該マスクのマスク画像を重畳した状態で表示させる。具体的には、端末装置１０は、検出結果と現在の撮影画像とに基づいて、ＡＲ情報３Ｄ２１が示す形状のマスクＰＤ２１を利用者Ｕ１が仮想的に装着した態様で、利用者Ｕ１が撮影された現在の撮影画像にマスクＰＤ２１のマスク画像ＧＰ２１を重畳した状態で表示させる。例えば、端末装置１０は、検出結果と現在の撮影画像とに基づいて、マスクの利用用途に応じた適切な顔の位置に対してＡＲ情報３Ｄ２１が示す形状のマスクＰＤ２１が位置するよう、現在の撮影画像にマスク画像ＧＰ２１を重畳した状態で表示させる。
【０１１８】
なお、図４の例では、サーバ装置１００が端末装置１０にマスク画像を送信することにより、端末装置１０は、サーバ装置１００からマスク画像を取得している。ここで、マスク画像は、ＡＲ情報から生成されたものであるため、端末装置１０がサーバ装置１００からマスク画像を取得することは、実質、端末装置１０がサーバ装置１００からＡＲ情報を取得Ｓることに相当する。
【０１１９】
さて、これまで説明してきたように、実施形態に係る表示制御装置（例えば、端末装置１０）は、利用者による入力情報に応じて特定された使い捨て着用物品の形状を示す物品情報を取得し、取得した物品情報が示す形状の使い捨て着用物品を利用者が仮想的に装着した態様で、利用者が撮影された撮影画像に当該使い捨て着用物品の画像を重畳した状態で表示させる。
【０１２０】
そして、表示制御装置によるこのような表示制御処理によれば、利用者は、端末装置１０を介して、使い捨て着用物品（例えば、マスク）を着用した際の自身の見た目をシミュレーションすることができるようになるため、使い捨て着用物品が利用者に適した商品であるか否かを購入前に効果的に認識させることができる。
【０１２１】
また、表示制御装置によるこのような表示制御処理によれば、商品としての使い捨て着用物品の訴求力を高めることができるため、使い捨て着用物品を取り扱う店舗の売上に貢献することができる。
【０１２２】
〔６．バリエーションについて〕
上記実施形態に係る表示制御装置は、上記実施形態以外にも種々の異なる形態にて実施されてよい。そこで、以下では、表示制御装置の他の実施形態について説明する。
【０１２３】
〔６−１．端末装置について〕
これまでは、端末装置１０は、利用者が有する端末装置であるものとして説明してきたが、端末装置１０は、例えば、店頭に置かれた端末装置（例えば、タブレット端末やデジタルサイネ−ジなど）であってもよい。したがって、ここでは、端末装置１０が、店頭に置かれた端末装置である場合における表示制御処理について説明する。端末装置１０が、店頭に置かれた端末装置である場合、例えば、店頭の前を通りがかった利用者が、係る端末装置１０が有するカメラの撮影範囲内に入ると、係る端末装置１０の表示画面には、実施形態に係る表示制御による結果が表示されるという状況が考えられる。具体的には、店頭の前を通りがかった利用者が、係る端末装置１０が有するカメラの撮影範囲内に入ると、端末装置１０の表示画面には、マスクを仮想的に装着した状態で利用者が表示される。
【０１２４】
端末装置１０が、店頭に置かれた端末装置である場合（特に、デジタルサイネ−ジである場合）、利用者が端末装置１０に対してＱＲコードを入力するのは困難である。したがって、係る例では、入力情報は、マスク商品が陳列されている陳列棚に付された識別情報（ＱＲコード）ではなく、利用者が動的に撮影された撮影画像となる。具体的には、係る例では、利用者が端末装置１０の前を通りがかることで、カメラの撮影範囲に入り、この結果動的に撮影されることになった撮影画像が、利用者による入力情報となる。また、このようなことから、端末装置１０は、利用者が撮影された撮影画像を係る利用者による入力情報として、撮影画像に応じて特定されたマスクの形状を示すＡＲ情報を取得する。
【０１２５】
そして、このように、端末装置１０が、店頭に置かれた端末装置である場合、係る端末装置１０が実施形態に係る表示制御処理を行うことで、利用者の興味を高め店舗へと利用者を効果的に誘導することができるようになる。
【０１２６】
〔６−２．利用者操作に応じて着用物品の態様を制御（１）〕
上記実施形態では、端末装置１０が、撮影画像から利用者の顔のサイズを検出（推定）できている場合には、検出したサイズに合うようにマスク画像の形状を制御し、現在の撮影画像に制御した後のマスク画像を重畳した状態で表示させる例を示した。しかし、端末装置１０は、利用者の操作に応じて、マスクの態様を制御してもよい。
【０１２７】
例えば、端末装置１０は、利用者によりマスクの色または模様が指定された場合には、マスク画像として、指定された色または模様のマスク画像を撮影画像に重畳させる。この点について、図３の例を用いて説明する。例えば、図３の例では、マスクＰＤ２１のカラーバリエーションとして、白、黒、ピンクがあるものとする。そうすると、端末装置１０は、はじめはデフォルト色（例えば、白色）のマスクＰＤ２１を示すマスク画像ＧＰ、すなわち白色のマスク画像ＧＰ２１を表示させる。
【０１２８】
このような状態において、端末装置１０は、白、黒、ピンクの中から任意の色を選択可能な色選択コンテンツを表示画面に表示させる。そして、例えば、利用者Ｕ１が色選択コンテンツを介して「ピンク」を指定したとすると、現在表示されているマスク画像ＧＰ２１の色を白からピンクへと制御（変更）する。また、ここでは色の指定を例に説明したが、端末装置１０は、模様でも同様の処理を行うことができる。
【０１２９】
そして、このような表示制御処理によれば、利用者は、端末装置１０を介して、使い捨て着用物品（例えば、マスク）の色や模様によって自身のイメージがどのように変化するかをシミュレーションすることができるようになるため、どのような色や模様の使い捨て着用物品が利用者に適した商品であるか否かを購入前に効果的に認識させることができる。
【０１３０】
〔６−３．利用者操作に応じて着用物品の態様を制御（２）〕
また、端末装置１０は、利用者によりマスクのサイズが指定された場合には、マスク画像として、指定されたサイズに応じたサイズのマスク画像を撮影画像に重畳させる。この点について、図３の例を用いて説明する。例えば、端末装置１０は、小さいサイズ、普通サイズ、大きいサイズの中から任意のサイズを選択可能なサイズ選択コンテンツを表示画面に表示させる。そして、例えば、利用者Ｕ１がサイズ選択コンテンツを介して「大きいサイズ」を指定したとすると、現在表示されているマスク画像ＧＰ２１のサイズを「大きいサイズ」に応じたサイズへと制御（変更）する。
【０１３１】
そして、このような表示制御処理によれば、利用者は、端末装置１０を介して、使い捨て着用物品（例えば、マスク）のサイズによって自身のイメージがどのように変化するかをシミュレーションすることができるようになるため、どのようなサイズの使い捨て着用物品が利用者に適した商品であるか否かを購入前に効果的に認識させることができる。
【０１３２】
〔６−４．インストールの案内表示〕
また、端末装置１０は、利用者に関する利用者情報に基づき特定された利用者であって、撮影画像に使い捨て着用物品の画像を重畳した状態で表示させるアプリケーションであるアプリＡＰ１１を導入していない利用者の端末装置に対して、アプリＡＰ１１をインストールするよう案内する案内情報を表示させてもよい。
【０１３３】
例えば、サーバ装置１００は、事業者Ｔに対して所定の登録を行っている利用者を示す情報と、アプリＡＰ１１をインストール済みの利用者を示す情報とのマッチングにより、事業者Ｔに対して所定の登録を行っている利用者のうち、アプリＡＰ１１を未インストールの利用者を特定する。そして、サーバ装置１００は、特定した利用者の端末装置１０にアプリＡＰ１１をインストールするよう案内する案内情報を送信する。これにより、端末装置１０は、アプリＡＰ１１をインストールするよう案内する案内情報を表示画面に表示させる。
【０１３４】
なお、サーバ装置１００は、事業者Ｔに関連するコンテンツにアクセスしたことのある利用者を示すクッキー情報と、アプリＡＰ１１をインストール済みの利用者を示す情報とのマッチングにより、事業者Ｔに関連するコンテンツのアクセスしたことのある利用者のうち、アプリＡＰ１１を未インストールの利用者を特定してもよい。
【０１３５】
また、サーバ装置１００は、利用者の位置情報に基づいて、商品情報記憶部１２１における「取扱店舗」で示される店舗の周辺に位置した利用者を特定する。そして、サーバ装置１００は、特定した利用者に関する情報（例えば、特定した利用者の端末ＩＤ）と、アプリＡＰ１１をインストール済みの利用者を示す情報とのマッチングにより、「取扱店舗」で示される店舗の周辺に位置した利用者のうち、アプリＡＰ１１を未インストールの利用者を特定してもよい。
【０１３６】
このように、利用者に関する利用者情報に基づき特定された利用者であって、撮影画像に使い捨て着用物品の画像を重畳した状態で表示させるアプリケーションを導入していない利用者の端末装置に対して、当該アプリケーションを導入するよう案内する案内情報を表示させることで、使い捨て着用物品の装着体験を店頭で行わすための敷居を効果的に下げることができるようになる。
【０１３７】
〔６−５．情報共有サービスへの投稿〕
また、端末装置１０は、利用者が撮影された撮影画像であって、マスク画像が重畳された撮影画像に対して、所定の情報共有サービス（ＳＮＳ）への投稿に応じた所定の情報を表示させてもよい。例えば、端末装置１０は、撮影画像に対してマスク画像ＧＰ２１が重畳して表示されている状態で、シャッターボタンが押下された場合には、マスク画像ＧＰ２１が重畳されている撮影画像から静止画像を取得するとともに、取得した静止画像に所定の情報共有サービス（ＳＮＳ）への投稿に応じた所定の情報を表示させる。例えば、端末装置１０は、所定の情報として、マスクＰＤ２１に関する情報（例えば、事業者Ｔの会社ロゴ、マスクＰＤ２１の商品、マスクＰＤ２１のブランド名など）を表示させる。また、端末装置１０は、所定の情報として、所定の情報共有サービスへの投稿を案内する案内情報を表示してもよい。係る案内情報は、例えば、「写真を撮って投稿しよう！」といった文字情報から成る案内情報である。
【０１３８】
このように、利用者が撮影された撮影画像であって、使い捨て着用物品の画像が重畳された撮影画像に対して、所定の情報共有サービスへの投稿に応じた所定の情報を表示させることで、所定の情報共有サービスを介して、使い捨て着用物品や、使い捨て着用物品の事業者について効果的に宣伝することができるようになる。
【０１３９】
〔６−６．比較〕
また、端末装置１０は、利用者が撮影された撮影画像であって、マスク画像が重畳された撮影画像のうち、これまでに撮影された撮影画像を比較可能なように表示させてもよい。例えば、端末装置１０は、利用者が撮影された撮影画像であって、マスク画像が重畳された撮影画像のうち、過去に撮影された撮影画像を、現在撮影されている撮影画像であって、マスク画像が重畳された撮影画像とともに表示させる。この点について、図５を用いて説明する。図５は、実施形態に係る画像比較の一例を示す図である。
【０１４０】
例えば、端末装置１０は、選択コンテンツＣ１１における利用者Ｕ１の１回目の選択内容に応じて、撮影画像にマスクＰＤ３１のマスク画像ＧＰ３１を重畳した状態で表示させ、またこの状態でシャッターが押されたことにより、利用者Ｕ１がマスクＰＤ３１を仮想的に装着している静止画像ＳＭ３を取得しているものとする。
【０１４１】
このような状態において、今、図２〜図３にかけてステップＳ２３まで表示制御処理が進んでいるものとする。そうすると、端末装置１０は、図３のステップＳ２４で説明したように、検出した顔のパーツに基づいて、ＡＲ情報３Ｄ２１が示す形状のマスクＰＤ２１を利用者Ｕ１が仮想的に装着した態様で、利用者Ｕ１が撮影された現在の撮影画像にマスクＰＤ２１のマスク画像ＧＰ２１を重畳した状態で表示させる。このとき、端末装置１０は、図５に示すような形態で表示を行う。
【０１４２】
例えば、端末装置１０は、表示画面において撮影画像が表示される表示領域を、領域ＡＲ１１および領域ＡＲ１２といった２つの表示領域に分ける。そして、端末装置１０は、予め取得している静止画像ＳＭ３を比較画像として領域ＡＲ１１に表示させる。また、端末装置１０は、このような表示とともに、領域ＡＲ１２において、ＡＲ情報３Ｄ２１が示す形状のマスクＰＤ２１を利用者Ｕ１が仮想的に装着した態様で、利用者Ｕ１が撮影された現在の撮影画像にマスクＰＤ２１のマスク画像ＧＰ２１を重畳した状態で表示させる。
【０１４３】
このように、端末装置１０は、過去に撮影された撮影画像を、現在撮影されている撮影画像であって、使い捨て着用物品の画像が重畳された撮影画像とともに表示させることで、利用者に対して、どの使い捨て着用物品が似合っているかを容易に比較させることができるため、使い捨て着用物品を購入後に購入した使い捨て着用物品が似合っていないことが判明してしまという状況になることを回避させることができる。
【０１４４】
なお、端末装置１０は、図５の例では、撮影画像が表示される表示領域を上下２つに分けているが、例えば、左右２つに分けてもよい。また、端末装置１０は、撮影画像が表示される表示領域を必ず２つに分ける必要はなく、比較画像の数に応じて任意の数に分けることができる。
【０１４５】
〔７．表示制御装置の構成〕
次に、図６を用いて、実施形態に係る表示制御装置について説明する。図６は、実施形態に係る情報処理装置の構成例を示す図である。具体的には、図６は、実施形態に係る情報処理装置の一例である端末装置１０およびサーバ装置１００の構成例を示す図である。以下では、まず、端末装置１０の構成例について説明し、次に、サーバ装置１００の構成例について説明する。
【０１４６】
〔７−１．端末装置の構成〕
（通信部１１について）
通信部１１は、例えば、ＮＩＣ（Network  Interface  Card）等によって実現される。そして、通信部１１は、ネットワークＮと有線または無線で接続され、例えば、サーバ装置１００との間で情報の送受信を行う。
【０１４７】
（入力部１２、撮像部１３、出力部１４について）
入力部１２は、利用者から各種操作を受け付ける入力装置である。例えば、入力部１２は、キーボードやマウスや操作キー等によって実現される。出力部１４は、各種情報を表示するための表示装置である。例えば、出力部１４は、液晶ディスプレイ等によって実現される。なお、端末装置１０にタッチパネルが採用された場合には、入力部１２と出力部１４とは一体化される。また、出力部１４は、例えば、端末装置１０の表示画面に対応する。また、撮像部１３は、対象の撮像を行うカメラ機能に対応する。撮像部１３は、例えば、実施形態に係る表示制御処理を行うアプリケーションによって制御される。
【０１４８】
（制御部１５について）
制御部１５は、ＣＰＵ（Central  Processing  Unit）やＭＰＵ（Micro  Processing  Unit）等によって、端末装置１０内部の記憶装置に記憶されている各種プログラム（例えば、アプリＡＰ１１またはアプリＡＰ１２）がＲＡＭを作業領域として実行されることにより実現される。また、制御部１５は、例えば、ＡＳＩＣ（Application  Specific  Integrated  Circuit）やＦＰＧＡ（Field  Programmable  Gate  Array）等の集積回路により実現される。
【０１４９】
（制御部１５について）
図６に示すように、制御部１５は、取得部１５ａと、生成部１５ｂと、検出部１５ｃと、表示制御部１５ｄとを有し、以下に説明する情報処理の機能や作用を実現または実行する。なお、制御部１５の内部構成は、図６に示した構成に限られず、後述する情報処理を行う構成であれば他の構成であってもよい。また、制御部１５が有する各処理部の接続関係は、図６に示した接続関係に限られず、他の接続関係であってもよい。
【０１５０】
（取得部１５ａについて）
取得部１５ａは、利用者による入力情報に応じて特定された使い捨て着用物品の形状を示す物品情報を取得する。例えば、取得部１５ａは、サーバ装置１００から物品情報を取得する。また、例えば、取得部１５ａは、使い捨て着用物品として、不織布で構成された使い捨てマスクの形状を示す物品情報（ＡＲ情報）を取得する。
【０１５１】
また、取得部１５ａは、入力情報として、使い捨て着用物品が商品として陳列されている陳列棚に付された識別情報（ＱＲコード）に応じて特定された使い捨て着用物品の形状を示す前記物品情報を取得する。
【０１５２】
例えば、取得部１５ａは、識別情報に応じて特定された使い捨て着用物品として、識別情報で識別される使い捨て着用物品であって、陳列棚に現在陳列されている使い捨て着用物品の形状を示す物品情報を取得する。
【０１５３】
また、例えば、取得部１５ａは、識別情報に応じて特定された使い捨て着用物品として、識別情報で識別される着用物品、および、識別情報で識別される着用物品に関連する着用物品である表示候補の使い捨て着用物品のうち、利用者により選択されたカテゴリに対応する使い捨て着用物品の形状を示す物品情報を取得してもよい。例えば、取得部１５ａは、利用者により選択された第１のカテゴリに属する表示候補の使い捨て着用物品のうち、利用者によりさらに選択された第２のカテゴリであって、第１のカテゴリに対する下位のカテゴリである第２のカテゴリに属する着用物品の形状を示す物品情報を取得する。一方で、取得部１５ａは、表示候補の使い捨て着用物品のうち、利用者により選択された使い捨て着用物品の形状を示す物品情報を取得してもよいし、利用者の属性情報または嗜好性に応じて特定された表示候補の使い捨て着用物品のうち、利用者により選択された使い捨て着用物品の形状を示す物品情報を取得してもよい。
【０１５４】
また、取得部１５ａは、入力情報として、利用者が撮影された撮影画像に応じて特定された使い捨て着用物品の形状を示す物品情報を取得してもよい。
【０１５５】
（生成部１５ｂについて）
生成部１５ｂは、物品情報を取得すると、取得した物品情報から使い捨て着用物品の画像を生成する。例えば、生成部１５ｂは、サーバ装置１００から物品情報を取得すると、取得した物品情報が示す形状であって、使い捨て着用物品の形状に基づいて、この形状を仮想的に再現する立体画像を生成する。
【０１５６】
（検出部１５ｃについて）
検出部１５ｃは、利用者が撮影された撮影画像に基づいて、利用者の身体のパーツを検出する。例えば、検出部１５ｃは、カメラ（撮像部１３）による撮影画像を順次取得することにより、取得した各撮影画像に基づいて、利用者の身体のパーツを検出する。例えば、検出部１５ｃは、撮影画像に基づいて、使い捨て着用物品を仮想的に装着させるパーツであって、利用者の身体のパーツを検出する。
【０１５７】
例えば、検出部１５ｃは、利用者が撮影された撮影画像に基づいて、利用者の顔のパーツを検出する。例えば、検出部１５ｃは、利用者の目・鼻・口・耳を検出する。また、検出部１５ｃは、利用者の顎のラインの形状や、利用者の顔の向きであって、利用者を撮影するカメラに対する顔の向きを検出する。また、検出部１５ｃは、利用者の顔のサイズを検出する。
【０１５８】
（表示制御部１５ｄについて）
表示制御部１５ｄは、物品情報が示す形状の使い捨て着用物品を利用者が仮想的に装着した態様で、利用者が撮影された撮影画像に当該使い捨て着用物品の画像を重畳した状態で表示させる。例えば、表示制御部１５ｄは、利用者が撮影された撮影画像から検出された利用者の身体のパーツに基づいて、使い捨て着用物品の利用用途に応じた適切な身体の位置に対して物品情報が示す形状の使い捨て着用物品が位置するよう、撮影画像に使い捨て着用物品の画像を重畳した状態で表示させる。
【０１５９】
また、例えば、表示制御部１５ｄは、撮影画像で示される利用者の顔の向きであって、利用者を撮影する撮影手段（撮像部１３）に対する顔の向きに応じて、物品情報が示す形状を制御し、制御した形状の使い捨て着用物品を利用者が仮想的に装着した態様で、撮影画像に使い捨て着用物品の画像を重畳した状態で表示させる。また、例えば、表示制御部１５ｄは、利用者の顔のサイズに応じて、使い捨て着用物品の画像のサイズを制御し、制御したサイズの画像を撮影画像に重畳させる。
【０１６０】
また、表示制御部１５ｄは、利用者により使い捨て着用物品の色または模様が指定された場合には、使い捨て着用物品の画像として、指定された色または模様の使い捨て着用物品の画像を撮影画像に重畳させる。例えば、表示制御部１５ｄは、任意の色を選択可能な色選択コンテンツを表示画面に表示させる。そして、表示制御部１５ｄは、現在表示されている使い捨て着用物品の画像の色を、色選択コンテンツにおいて指定された色へと制御（変更）する。なお、色選択コンテンツは、例えば、生成部１５ｂによって生成される。例えば、生成部１５ｂは、識別情報に応じて特定された使い捨て着用物品のカラーバリエーションに基づいて、色選択コンテンツを生成する。
【０１６１】
また、表示制御部１５ｄは、利用者により使い捨て着用物品のサイズが指定された場合には、使い捨て着用物品の画像として、指定されたサイズに応じたサイズの画像を撮影画像に重畳させる。例えば、表示制御部１５ｄは、小さいサイズ、普通サイズ、大きいサイズの中から任意のサイズを選択可能なサイズ選択コンテンツを表示画面に表示させる。そして、表示制御部１５ｄは、在表示されている使い捨て着用物品の画像のサイズを、サイズ選択コンテンツにおいて指定されたサイズへと制御（変更）する。なお、サイズ選択コンテンツは、例えば、生成部１５ｂによって生成される。例えば、生成部１５ｂは、識別情報に応じて特定された使い捨て着用物品のサイズバリエーションに基づいて、サイズ選択コンテンツを生成する。
【０１６２】
また、表示制御部１５ｄは、利用者に関する利用者情報に基づき特定された利用者であって、撮影画像に使い捨て着用物品の画像を重畳した状態で表示させるアプリケーションを導入していない利用者の端末装置に対して、当該アプリケーションを導入するよう案内する案内情報を表示させてもよい。
【０１６３】
また、表示制御部１５ｄは、入力情報が入力された後において、使い捨て着用物品を仮想的に装着させるパーツであって、利用者の身体のパーツが、利用者が撮影された撮影画像に含まれないと判定された場合には、当該パーツを含むように撮影するよう案内情報を表示させてもよい。
【０１６４】
また、表示制御部１５ｄは、利用者が撮影された撮影画像であって、使い捨て着用物品の画像が重畳された撮影画像のうち、これまでに撮影された撮影画像を比較可能なように表示させてもよい。例えば、表示制御部１５ｄは、利用者が撮影された撮影画像であって、使い捨て着用物品の画像が重畳された撮影画像のうち、過去に撮影された撮影画像を、現在撮影されている撮影画像であって、使い捨て着用物品の画像が重畳された撮影画像とともに表示させる。また、このようなことから端末装置１０は、撮影画像を記憶する記憶部を有してもよい。例えば、端末装置１０は、シャッター押下により撮影画像から得られた静止画像を記憶する記憶部を有してもよい。
【０１６５】
また、表示制御部１５ｄは、利用者が撮影された撮影画像であって、使い捨て着用物品の画像が重畳された撮影画像に対して、所定の情報共有サービスへの投稿に応じた所定の情報を表示させてもよい。例えば、表示制御部１５ｄは、所定の情報として、使い捨て着用物品に関する情報を表示させる。例えば、表示制御部１５ｄは、使い捨て着用物品の画像が重畳が重畳して表示されている状態で、シャッターボタンが押下された場合には、使い捨て着用物品の画像がが重畳されている撮影画像から静止画像を取得する。そして、表示制御部１５ｄは、取得した静止画像に所定の情報共有サービス（ＳＮＳ）への投稿に応じた所定の情報を表示させる。例えば、表示制御部１５ｄは、所定の情報として、使い捨て着用物品に関する情報（例えば、会社ロゴ、使い捨て着用物品の商品名、使い捨て着用物品のブランド名など）を表示させる。また、表示制御部１５ｄは、所定の情報として、所定の情報共有サービスへの投稿を案内する案内情報を表示してもよい。
【０１６６】
〔７−２．サーバ装置の構成〕
（通信部１１０について）
通信部１１０は、例えば、ＮＩＣ等によって実現される。そして、通信部１１０は、ネットワークＮと有線または無線で接続され、例えば、端末装置１０との間で情報の送受信を行う。
【０１６７】
（記憶部１２０について）
記憶部１２０は、例えば、ＲＡＭ（Random  Access  Memory)、フラッシュメモリ等の半導体メモリ素子またはハードディスク、光ディスク等の記憶装置によって実現される。記憶部１２０は、図１で説明した商品情報記憶部１２１を有する。
【０１６８】
（制御部１３０について）
制御部１３０は、ＣＰＵやＭＰＵ等によって、サーバ装置１００内部の記憶装置に記憶されている各種プログラム（例えば、アプリＡＰ１１またはアプリＡＰ１２）がＲＡＭを作業領域として実行されることにより実現される。また、制御部１３０は、例えば、ＡＳＩＣやＦＰＧＡ等の集積回路により実現される。
【０１６９】
図６に示すように、制御部１３０は、取得部１３１と、特定部１３２と、生成部１３３と、送信部１３４とを有し、以下に説明する情報処理の機能や作用を実現または実行する。なお、制御部１３０の内部構成は、図６に示した構成に限られず、後述する情報処理を行う構成であれば他の構成であってもよい。また、制御部１３０が有する各処理部の接続関係は、図６に示した接続関係に限られず、他の接続関係であってもよい。
【０１７０】
（取得部１３１について）
取得部１３１は、利用者による入力情報に応じて特定された使い捨て着用物品の形状を示す物品情報を取得する。例えば、取得部１３１は、商品情報記憶部１２１から物品情報を取得する。また、例えば、取得部１３１は、使い捨て着用物品として、不織布で構成された使い捨てマスクの形状を示す物品情報（ＡＲ情報）を取得する。
【０１７１】
また、取得部１３１は、入力情報として、使い捨て着用物品が商品として陳列されている陳列棚に付された識別情報（ＱＲコード）に応じて特定された使い捨て着用物品の形状を示す前記物品情報を取得する。
【０１７２】
例えば、取得部１３１は、識別情報に応じて特定された使い捨て着用物品として、識別情報で識別される使い捨て着用物品であって、陳列棚に現在陳列されている使い捨て着用物品の形状を示す物品情報を取得する。
【０１７３】
また、例えば、取得部１３１は、識別情報に応じて特定された使い捨て着用物品として、識別情報で識別される着用物品、および、識別情報で識別される着用物品に関連する着用物品である表示候補の使い捨て着用物品のうち、利用者により選択されたカテゴリに対応する使い捨て着用物品の形状を示す物品情報を取得してもよい。例えば、取得部１３１は、利用者により選択された第１のカテゴリに属する表示候補の使い捨て着用物品のうち、利用者によりさらに選択された第２のカテゴリであって、第１のカテゴリに対する下位のカテゴリである第２のカテゴリに属する着用物品の形状を示す物品情報を取得する。一方で、取得部１３１は、表示候補の使い捨て着用物品のうち、利用者により選択された使い捨て着用物品の形状を示す物品情報を取得してもよいし、利用者の属性情報または嗜好性に応じて特定された表示候補の使い捨て着用物品のうち、利用者により選択された使い捨て着用物品の形状を示す物品情報を取得してもよい。
【０１７４】
また、取得部１３１は、端末装置１０から撮影画像を取得する。
【０１７５】
（特定部１３２について）
特定部１３２は、利用者による入力情報（ＱＲコード）に基づいて、表示候補の使い捨て着用物品を特定する。例えば、特定部１３２は、入力情報に含まれる商品ＩＤに基づいて、表示候補の使い捨て着用物品を特定する。例えば、特定部１３２は、入力情報に含まれる商品ＩＤで一意に識別される使い捨て着用物品、および、この着用物品に関連する使い捨て着用物品を、表示候補の使い捨て着用物品として特定する。
【０１７６】
また、特定部１３２は、利用者の属性情報、または、利用者の嗜好性に基づいて、表示候補の使い捨て着用物品を特定してもよい。
【０１７７】
（生成部１３３について）
生成部１３３は、特定部１３２により特定された表示候補の使い捨て着用物品から、表示を希望する着用物品を選択させる選択コンテンツを生成する。例えば、生成部１３３は、商品情報記憶部１２１に基づいて、表示候補の使い捨て着用物品が属するカテゴリのうち、より上位の第１のカテゴリのいずれかを選択させ、また、選択された第１のカテゴリに対応する第２のカテゴリであって、第１のカテゴリに対する下位のカテゴリである第２のカテゴリのいずれかをさらに選択させるような選択コンテンツを生成する。図２の例では、生成部１３３は、選択コンテンツＣ１１を生成している。
【０１７８】
また、生成部１３３は、生成部１５ｂと同様の機能を有してよい。例えば、生成部１３３は、物品情報から使い捨て着用物品の画像を生成する機能を有してもよい。
【０１７９】
（送信部１３４について）
送信部１３４は、各種情報を送信する。例えば、送信部１３４は、端末装置１０に各種情報を送信する。例えば、送信部１３４は、生成部１３３により生成された選択コンテンツ、物品情報、案内情報、利用者から検出した身体のパーツを示す情報（検出部１５ｃによる検出結果に対応）、物品情報から生成された使い捨て着用物品の画像を端末装置１０に送信する。
【０１８０】
（その他の処理部について）
また、サーバ装置１００は、図４で説明した表示制御処理のうち、サーバ装置１００が行うものとして説明した表示制御処理が行えるよう、検出部１５ｃに対応する処理部や、表示制御部１５ｄに対応する処理部をさらに有することができる。
【０１８１】
〔８．処理手順〕
次に、図７および図８を用いて、実施形態に係る表示制御処理の手順について説明する。図７では、実施形態に係る表示制御処理のうち、利用者による入力情報に応じて特定された使い捨て着用物品に対応する物品情報（ＡＲ情報）を取得するまでの表示制御処理手順について説明する。図８では、実施形態に係る表示制御処理のうち、取得された物品情報が示す形状の使い捨て着用物品の画像を撮影画像に重畳させる表示制御処理手順について説明する。また、図７および図８では、使い捨て着用物品は、不織布で構成された使い捨てマスクであるものとして説明する。
【０１８２】
〔８−１．処理手順（１）〕
まず、図７を用いて、実施形態に係る表示制御処理のうち、利用者による入力情報に応じて特定された使い捨て着用物品に対応する物品情報（ＡＲ情報）を取得するまでの表示制御処理手順について説明する。図７は、実施形態に係る表示制御処理のうち、前半の表示制御処理手順を示すフローチャートである。
【０１８３】
まず、取得部１３１は、コード情報の入力に伴う商品情報（商品ＩＤ）を取得できたか否かを判定する（ステップＳ１０１）。例えば、利用者が端末装置１０にコード情報を入力したことに応じて、端末装置１０が、このコード情報から検出した商品情報をサーバ装置１００に送信した場合には、取得部１３１は、コード情報の入力に伴う商品情報を取得できたと判定する。
【０１８４】
そして、取得部１３１は、コード情報の入力に伴う商品情報（商品ＩＤ）を取得できていない間は（ステップＳ１０１；Ｎｏ）、取得できるまで待機する。一方、特定部１３２は、取得部１３１により商品情報が取得された場合には（ステップＳ１０１；Ｙｅｓ）、取得された商品情報に基づいて、表示候補のマスクを特定する（ステップＳ１０２）。例えば、特定部１３２は、商品情報に基づいて、商品情報記憶部１２１に記憶される表示候補のマスクの中から、さらに商品情報に応じた表示候補のマスクを絞り込む。
【０１８５】
次に、生成部１３３は、特定部により特定された表示候補のマスクから、希望するマスクを選択させる選択コンテンツを生成する（ステップＳ１０３）。そして、送信部１３４は、生成部１３３により生成された選択コンテンツを端末装置１０に送信する（ステップＳ１０４）。係る端末装置１０は、コード情報の入力を行った利用者が所有する端末装置である。
【０１８６】
また、このような状態において、取得部１３１は、選択コンテンツで示されるカテゴリ（第１のカテゴリ、第２のカテゴリ）のうちいずれかのカテゴリの選択を受け付けたか否かを判定する（ステップＳ１０５）。すなわち、取得部１３１は、選択コンテンツで示されるカテゴリ（第１のカテゴリ、第２のカテゴリ）のうち、選択されたカテゴリを示すカテゴリ情報を端末装置１０から取得できたか否かを判定する。取得部１３１は、カテゴリ情報を取得できないことによりカテゴリの選択を受け付けていないと判定している間は（ステップＳ１０５；Ｎｏ）、カテゴリ情報を取得することによりカテゴリの選択を受け付けたと判定できるまで待機する。
【０１８７】
一方、取得部１３１は、カテゴリ情報を取得することによりカテゴリの選択を受け付けたと判定した場合には（ステップＳ１０５；Ｙｅｓ）、選択されたカテゴリに属するマスクの形状を示すＡＲ情報を商品情報記憶部１２１から取得する（ステップＳ１０６）。そして、送信部１３４は、取得部により取得されたＡＲ情報を端末装置１０に送信する。
【０１８８】
〔８−２．処理手順（２）〕
まず、図８を用いて、実施形態に係る表示制御処理のうち、取得された物品情報が示す形状の使い捨て着用物品の画像を撮影画像に重畳させる表示制御処理手順について説明する。図８は、実施形態に係る表示制御処理のうち、後半の表示制御処理手順を示すフローチャートである。
【０１８９】
まず、取得部１５ａは、サーバ装置１００からＡＲ情報を取得できたか否かを判定する（ステップＳ２０１）。取得部１５ａは、サーバ装置１００からＡＲ情報を取得できていない間は（ステップＳ２０１；Ｎｏ）、取得できるまで待機する。
【０１９０】
一方、生成部１５ｂは、取得部１５ａによりＡＲ情報が取得された場合には（ステップＳ２０１；Ｙｅｓ）、ＡＲ情報からマスク画像を生成する（ステップＳ２０２）。
【０１９１】
また、表示制御部１５ｄは、マスク画像が生成されると、インカメラを動的に起動させるとともに、インカメラで顔を撮影するよう案内する案内情報を表示させる（ステップ２０３）。
【０１９２】
次に、検出部１５ｃは、案内に応じて撮影された撮影画像に基づいて、利用者の顔のパーツを検出する（ステップＳ２０４）。
【０１９３】
そして、表示制御部１５ｄは、検出部１５ｃにより検出された顔のパーツに基づいて、ＡＲ情報が示す形状のマスクを利用者が仮想的に装着した態様で、利用者が撮影された撮影画像に当該マスクのマスク画像を重畳した状態で表示させる（ステップＳ２０５）。
【０１９４】
〔９．その他〕
上記した各処理のうち、自動的に行われるものとして説明した処理の全部または一部は、手動的に行われてもよい。また、手動的に行われるものとして説明した処理の全部または一部は、公知の方法で自動的に行われてもよい。この他、上記文書中や図面中で示した処理手順、具体的名称、各種のデータやパラメータを含む情報については、特記する場合を除いて任意に変更することができる。例えば、各図に示した各種情報は、図示した情報に限られるものではない。
【０１９５】
また、図示した各装置の各構成要素は機能概念的なものであり、必ずしも物理的に図示の如く構成されなくともよい。すなわち、各装置の分散・統合の具体的形態は図示のものに限られない。また、各構成要素は、その全部または一部を、各種の負荷や使用状況などに応じて、任意の単位で機能的または物理的に分散・統合して構成してもよい。また、上記してきた各処理は、矛盾しない範囲で適宜組み合わせて実行されてもよい。
【０１９６】
〔１０．ハードウェア構成〕
また、上述した実施形態に係る表示制御装置は、例えば図９に示すような構成のコンピュータ１０００によって実現される。図９は、ハードウェア構成の一例を示す図である。コンピュータ１０００は、出力装置１０１０、入力装置１０２０と接続され、演算装置１０３０、キャッシュ１０４０、メモリ１０５０、出力ＩＦ（Interface）１０６０、入力ＩＦ１０７０、ネットワークＩＦ１０８０がバス１０９０により接続される。
【０１９７】
演算装置１０３０は、キャッシュ１０４０やメモリ１０５０に格納されたプログラムや入力装置１０２０から読み出したプログラム等に基づいて動作し、各種の処理を実行する。キャッシュ１０４０は、ＲＡＭ等、演算装置１０３０が各種の演算に用いるデータを一次的に記憶するキャッシュである。また、メモリ１０５０は、演算装置１０３０が各種の演算に用いるデータや、各種のデータベースが登録される記憶装置であり、ＲＯＭ(Read  Only  Memory)、ＨＤＤ（Hard  Disk  Drive）、フラッシュメモリ等により実現されるメモリである。
【０１９８】
出力ＩＦ１０６０は、モニタやプリンタといった各種の情報を出力する出力装置１０１０に対し、出力対象となる情報を送信するためのインタフェースであり、例えば、ＵＳＢ（Universal  Serial  Bus）やＤＶＩ（Digital  Visual  Interface）、ＨＤＭＩ（登録商標）（High  Definition  Multimedia  Interface）といった規格のコネクタにより実現されてよい。一方、入力ＩＦ１０７０は、マウス、キーボード、およびスキャナ等といった各種の入力装置１０２０から情報を受信するためのインタフェースであり、例えば、ＵＳＢ等により実現される。
【０１９９】
例えば、入力装置１０２０は、ＣＤ（Compact  Disc）、ＤＶＤ（Digital  Versatile  Disc）、ＰＤ（Phase  change  rewritable  Disk）等の光学記録媒体、ＭＯ（Magneto-Optical  disk）等の光磁気記録媒体、テープ媒体、磁気記録媒体、または半導体メモリ等から情報を読み出す装置により実現されてもよい。また、入力装置１０２０は、ＵＳＢメモリ等の外付け記憶媒体により実現されてもよい。
【０２００】
ネットワークＩＦ１０８０は、ネットワークＮを介して他の機器からデータを受信して演算装置１０３０へ送り、また、ネットワークＮを介して演算装置１０３０が生成したデータを他の機器へ送信する機能を有する。
【０２０１】
ここで、演算装置１０３０は、出力ＩＦ１０６０や入力ＩＦ１０７０を介して、出力装置１０１０や入力装置１０２０の制御を行うこととなる。例えば、演算装置１０３０は、入力装置１０２０やメモリ１０５０からプログラムをキャッシュ１０４０上にロードし、ロードしたプログラムを実行する。例えば、コンピュータ１０００が表示制御装置として機能する場合、コンピュータ１０００の演算装置１０３０は、キャッシュ１０４０上にロードされたプログラムを実行することにより、制御部１３０の機能を実現することとなる。
【符号の説明】
【０２０２】
１０  端末装置
１５  制御部
１５ａ  取得部
１５ｂ  生成部
１５ｃ  検出部
１５ｄ  表示制御部
１００  サーバ装置
１２１  商品情報記憶部
１３０  制御部
１３１  取得部
１３２  特定部
１３３  生成部
１３４  送信部
【図１】
0006929979.tif 000002
【図２】
0006929979.tif 000003
【図３】
0006929979.tif 000004
【図４】
0006929979.tif 000005
【図５】
0006929979.tif 000006
【図６】
0006929979.tif 000007
【図７】
0006929979.tif 000008
【図８】
0006929979.tif 000009
【図９】
0006929979.tif 000010